(57)【要約】【課題】芯体の交換時期になったときに、適時に実行することができる電子ペンを提供する。【解決手段】本体部筐体の軸心方向の開口から芯体の先端部が突出すると共に、芯体が本体部筐体に対して脱着可能に設けられている電子ペンである。本体部筐体と軸心方向に着脱自在に結合するキャップ部を備える。また、本体部筐体は、軸心方向において開口側とは反対側には、１または複数本の芯体を保持可能な芯体保持部を備える。キャップ部は、芯体を本体部筐体から引き抜いて離脱させるために用いられる芯抜き部を備える。本体部筐体の軸心方向の開口から先端部が突出している芯体を引き抜いて離脱させるために芯抜き部を用いる際、芯体保持部に保持されている１または複数本の芯体が表出する。【選択図】図２
2019128752.tif 000002
【特許請求の範囲】
【請求項１】
本体部筐体の軸心方向の開口から芯体の先端部が突出すると共に、前記芯体が前記本体部筐体に対して脱着可能に設けられている電子ペンであって、
前記本体部筐体と前記軸心方向に着脱自在に結合するキャップ部を備え、
前記本体部筐体は、前記軸心方向において前記開口側とは反対側には、１または複数本の芯体を保持可能な芯体保持部を備え、
前記キャップ部は、前記芯体を前記本体部筐体から引き抜いて離脱させるために用いられる芯抜き部を備え、
前記本体部筐体の軸心方向の開口から先端部が突出している前記芯体を引き抜いて離脱させるために前記芯抜き部を用いる際、前記芯体保持部に保持されている前記１または複数本の芯体が表出する
ことを特徴とする電子ペン。
【請求項２】
前記芯抜き部は、前記開口から突出している前記芯体の先端部と係合すると共に、前記芯体を前記本体部筐体から引き抜くことが可能なように前記係合の状態を維持可能な構成を有する
ことを特徴とする請求項１に記載の電子ペン。
【請求項３】
前記芯抜き部は、前記本体部筐体と結合された状態の前記キャップにおいて外部から視認可能の状態で設けられている
ことを特徴とする請求項１に記載の電子ペン。
【請求項４】
前記芯抜き部は、前記芯体の先端部が挿入されて前記係合される凹穴を備える
ことを特徴とする請求項２に記載の電子ペン。
【請求項５】
前記芯抜き部は、前記キャップ部の、前記本体部筐体との結合側とは反対側の、前記軸心方向に交差する方向の面に形成されている
ことを特徴とする請求項２に記載の電子ペン。
【請求項６】
前記芯抜き部は、前記キャップ部の、前記軸心方向に沿う方向の面に形成されている
ことを特徴とする請求項２に記載の電子ペン。
【請求項７】
前記キャップ部は、クリップ部を備え、前記芯抜き部は、前記クリップ部に設けられている
ことを特徴とする請求項２に記載の電子ペン。
【請求項８】
前記キャップ部は、前記本体部筐体の、前記芯体の先端部が突出している前記一方の開口側とは反対側において、前記本体部筐体と前記軸心方向に結合する
ことを特徴とする請求項１に記載の電子ペン。
【請求項９】
前記キャップ部は、前記本体部筐体に対して螺合される
ことを特徴とする請求項１に記載の電子ペン。
【請求項１０】
前記芯体保持部は、前記芯体を差し込むことが可能なスポンジで構成されている
ことを特徴とする請求項１に記載の電子ペン。
【請求項１１】
前記キャップ部は、前記芯体保持部を覆う状態で、前記本体部筐体と結合される
ことを特徴とする請求項１に記載の電子ペン。
【請求項１２】
電子ペンの載置部を備えるタブレットと共に用いられる
ことを特徴とする請求項１に記載の電子ペン。
【請求項１３】
前記芯体は樹脂で構成されており、前記タブレットと電磁誘導方式でインタラクションする
ことを特徴とする請求項１２に記載の電子ペン。
【請求項１４】
前記芯体は導体で構成されており、前記タブレットと静電結合方式でインタラクションする
ことを特徴とする請求項１２に記載の電子ペン。
【発明の詳細な説明】
【技術分野】
【０００１】
この発明は、位置検出装置と共に使用され、芯体が交換可能な電子ペンに関する。
【背景技術】
【０００２】
電子ペンにおいては、タブレットとの間で、電磁誘導結合や静電結合によるインタラクションにより信号の授受を行うので、通常の文房具の筆記具のように芯が減ったり、インクが無くなったりすることはない。しかし、電子ペンにおいても芯体の先端（ペン先）をタブレットに接触させて使用することが多いので、芯体の先端はタブレットとの摩擦で、徐々に擦り減ってゆく。
【０００３】
そのため、電子ペンにおいても、芯体を交換することができるようになっているものが多い（例えば特許文献１（特許第６１３７６１０号公報）、特許文献２（特許第５８０１０２０号公報）参照）。この種の電子ペンにおいては、一般に、筐体内に筆圧検出部が設けられ、棒状の芯体が、その筆圧検出部に対して着脱自在に嵌合されて取り付けられる。また、芯体は、筆圧検出部に嵌合されている圧力伝達部に着脱自在に嵌合されて取り付けられる場合もある。
【先行技術文献】
【特許文献】
【０００４】
【特許文献１】特許第６１３７６１０号公報
【特許文献２】特許第５８０１０２０号公報
【発明の概要】
【発明が解決しようとする課題】
【０００５】
ところで、電子ペンの芯体の交換のためには、芯体を電子ペンの筐体から引き抜く必要がある。しかし、この種の電子ペンにおいては、一般に、芯体は、筐体から脱落しないように、筐体内に配置されている筆圧検出部あるいは圧力伝達部に嵌合されており、また、筐体からは、芯体の先端部のみが僅かに突出している状態となっている。
【０００６】
そのため、使用者が指で芯体の先端をつまんで芯体を筐体から引き抜くことは厄介な作業となる。そこで、電子ペンの芯体を交換する際に、芯体を電子ペンの筐体から引き抜くための芯抜き具を、電子ペンとは別体として付属するものもある。
【０００７】
しかしながら、芯抜き具は、電子ペンとは別体のものであるため、紛失してしまったり、実際に芯体を交換しようとしてときに、手元にない場合もあったりして、不便となっている。
【０００８】
更に、交換する予備の芯体も、芯抜き具同様に別体のものであるため、紛失し易いものであり、芯体を交換しようとしてときに、手元にない場合もあったりして、不便となっている。
【０００９】
この発明は、以上の問題点を解決することができるようにした電子ペンを提供することを目的とする。
【課題を解決するための手段】
【００１０】
上記の課題を解決するために、
本体部筐体の軸心方向の開口から芯体の先端部が突出すると共に、前記芯体が前記本体部筐体に対して脱着可能に設けられている電子ペンであって、
前記本体部筐体と前記軸心方向に着脱自在に結合するキャップ部を備え、
前記本体部筐体は、前記軸心方向において前記開口側とは反対側には、１または複数本の芯体を保持可能な芯体保持部を備え、
前記キャップ部は、前記芯体を前記本体部筐体から引き抜いて離脱させるために用いられる芯抜き部を備え、
前記本体部筐体の軸心方向の開口から先端部が突出している前記芯体を引き抜いて離脱させるために前記芯抜き部を用いる際、前記芯体保持部に保持されている前記１または複数本の芯体が表出する
ことを特徴とする電子ペンを提供する。
【００１１】
上述の構成の電子ペンによれば、電子ペンの本体筐体部と着脱自在に結合されるキャップ部が芯抜き部を備えているので、芯体の交換時期になったときには、キャップ部の芯抜き部を用いて芯体を筐体から引き抜くと同時に、交換用芯体も表出する為、非常に便利である。
【図面の簡単な説明】
【００１２】
【図１】この発明による電子ペンの実施形態及び、当該電子ペンの実施形態と共に用いられるタブレットの一例を説明するための図である。
【図２】この発明による電子ペンの実施形態の構成例を説明するための図である。
【図３】この発明による電子ペンの実施形態を説明するための図である。
【図４】この発明による電子ペンの実施形態の芯抜き部の例を説明するための図である。
【図５】この発明による電子ペンの実施形態の芯体保持部の一例を示す図である。
【図６】この発明による電子ペンの実施形態の本体部を説明するための図である。
【図７】この発明による電子ペンの実施形態における芯体の交換作業を説明するための図である。
【図８】この発明による電子ペンの実施形態の芯抜き部の変形例を説明するための図である。
【図９】この発明による電子ペンの他の実施形態の芯抜き部の例を説明するための図である。
【図１０】この発明による電子ペンの他の実施形態を説明するための図である。
【発明を実施するための形態】
【００１３】
以下、この発明による電子ペンの実施形態を、図を参照しながら説明する。
【００１４】
図１は、この実施形態の電子ペン１が、位置検出装置としてのタブレット１０に載置されている状態の外観を示す図であり、タブレット１０の表面１０ａ側から見た図である。
【００１５】
この例のタブレット１０は、図１に示すように外形が薄い板状の直方体形状を備える。このタブレット１０の内部には、図示は省略するが、位置検出センサと電子回路が設けられている。図１のタブレット１０の表面１０ａにおいて点線で囲むエリアは、位置検出センサによる電子ペン１による指示位置の座標を検出することが可能な座標検出エリア１１である。
【００１６】
タブレット１０の表面１０ａにおいて、座標検出エリア１１の外側の上方のエリアには、電子ペン載置部１２が形成されている。この電子ペン載置部１２は、この実施形態の電子ペン１の軸心方向の長さよりも細長で電子ペン１の太さよりも広い幅を有する形状とされ、電子ペン１を載置したときに、この電子ペン載置部１２から転がり出ないような皿状の凹部１２ａで構成されている。
【００１７】
タブレット１０の電子ペン載置部１２を構成する凹部１２ａ内には、使用者により押下操作可能な操作部１３が設けられている。操作部１３は、この例では、複数の操作部分（操作ボタン）に分けられており、電源のオン・オフや種々の機能が割り当てられている。操作部１３は、電子ペン１が凹部１２ａに載置されていないときに操作可能となる。
【００１８】
また、この例では、タブレット１０の上側側面には、例えば化学繊維や革などにより筒状に構成されている電子ペンホルダー１４が取り付けられている。タブレット１０を持ち運ぶ場合には、電子ペン１は、この電子ペンホルダー１４に差し込んで保持することができる。
【００１９】
電子ペン１は、図２（Ａ）〜図２（Ｃ）に示すように、本体部２とキャップ部３とで構成されている。本体部２は、例えば樹脂で構成される筒状の本体部筐体２１の内部に、電子ペン構成部品２２（図３参照）が収納されて構成されている。そして、筒状の本体部筐体２１のペン先側はテーパ状に先細となるようにされていると共に、開口２１ａ（図４参照）を備え、その開口２１ａから芯体４の先端部４ａが突出するように構成されている。なお、本体部筐体２１のペン先側のテーパ状の部分は、本体部筐体２１と一体に構成されていてもよいし、別部材として結合される構成であってもよい。
【００２０】
この例では、タブレット１０は、電磁誘導方式で電子ペン１による指示位置を検出する。このため、この実施形態の電子ペン１の電子ペン構成部品２２は、タブレット１０のセンサに設けられる複数のループコイルと電磁誘導結合して信号を授受することでタブレット１０とインタラクションするための共振回路を含む。
【００２１】
図３は、この実施形態の電子ペン１の電子ペン構成部品２２の主要部を説明するための図である。すなわち、電子ペン構成部品２２は、コイル２２１が巻回された磁性体コア２２２と、筆圧検出部２２３と、プリント基板２２４とを含んで構成される。コイル２２１が巻回された磁性体コア２２２は、図３に示すように、本体部筐体２１の中空部のペン先側に設けられる。磁性体コア２２２は、例えばフェライトコアで構成され、芯体４を挿通する貫通孔２２２ａを備える。
【００２２】
芯体４は、この例では、非導電性材料、例えば樹脂で構成される。この芯体４は、磁性体コア２２２の貫通孔２２２ａを貫通して、筆圧検出部２２３の嵌合部２２３ａに、着脱自在の状態で嵌合され、その嵌合状態では、芯体４の先端部４ａが本体部筐体２１の開口２１ａから突出する状態となる。したがって、芯体４の先端部４ａを把持して引っ張ることで、芯体４は、本体部筐体２１から抜き取って交換することが可能である。
【００２３】
筆圧検出部２２３は、例えば容量可変キャパシタの静電容量を、印加される圧力（筆圧）に応じて変化させる機構を用いるもの（例えば特許文献（特開２０１１−１８６８０３号公報）参照）で構成される。なお、筆圧検出部２２３は、容量可変キャパシタをＭＥＭＳ（Micro Electro Mechanical Systems）素子からなる半導体チップで構成したもの（例えば特許文献（特開２０１３−１６１３０７号公報）参照）を用いることもできる。なお、筆圧検出部２２３の構成は、これらの構成例に限られるものではなく、筆圧をインダクタンスの変化として検出するものであってもよい。
【００２４】
コイル２２１は、プリント基板２２４に配設されているキャパシタ２２５と並列に接続されて共振回路を構成する。この例では、筆圧検出部２２３で構成される容量可変キャパシタも、コイル２２１及びキャパシタ２２５と並列に接続されて共振回路の一部を構成する。この実施形態の電子ペン１は、この共振回路によりタブレット１０と電磁結合して相互に信号を授受して、タブレット１０とインタラクションする。タブレット１０は、この電子ペン１とのインタラクションにより、電子ペン１による指示位置を検出すると共に、電子ペン１における筆圧を検出する。
【００２５】
図２（Ｃ）に示すように、筒状の本体部筐体２１のペン先側とは反対側は、キャップ部３と嵌合するキャップ嵌合部２１１とされる。キャップ嵌合部２１１は、本体部筐体２１の他の部分よりも径小とされており、その軸心方向の所定位置にキャップ部３を係止するためのリング状突部２１２が形成されている。
【００２６】
キャップ部３は、例えば樹脂で構成され、本体部筐体２１のキャップ嵌合部２１１と嵌合する凹部３１を備える。そして、このキャップ部３の凹部３１の、キャップ嵌合部２１１のリング状突部２１２と対応する位置にリング状の凹溝３２が形成されている。
【００２７】
キャップ部３は、本体部筐体２１に対して、凹部３１によりキャップ嵌合部２１１を覆うようにして結合させる。そして、キャップ部３のリング状の凹溝３２と、キャップ嵌合部２１１のリング状突部２１２が嵌合してキャップ部３は、本体部筐体２１に対して係止する。この状態からキャップ部３をペン先側とは反対側に所定の力で引っ張ると、キャップ部３のリング状の凹溝３２とキャップ嵌合部２１１のリング状突部２１２との嵌合が外れて、キャップ部３は、本体部筐体２１から外すことができる。
【００２８】
そして、この実施形態の電子ペン１では、図２（Ｂ）に示すように、キャップ部３の本体部筐体２１との嵌合側とは反対側の頂部には、芯抜き部３３が、外部から視認可能の状態で設けられている。
【００２９】
図４は、キャップ部３の頂部の縦断面図を示すものである。この実施形態では、芯抜き部３３は、図２（Ｂ）及び図４に示すように、キャップ部３の頂部に、本体部筐体２１のペン先側のテーパ状の部分の先端の径よりも大きい径の凹部３３１が形成され、その凹部３３１の軸心方向に直交する方向の底部の中央部に、芯体４の径よりも僅かに大きい径の芯体係合穴３３２が形成されることで構成される。
【００３０】
この実施形態では、芯抜き部３３の芯体係合穴３３２には、芯体４の先端部４ａをしっかりと把持するためのリング状突部３３３が形成されている。このリング状突部３３３は、必須のものではなく、より確実に芯体４の先端部４ａを把持するためのものである。芯体係合穴３３２に芯体４の先端部４ａが圧入挿入された状態で、キャップ部３を軸芯方向に引っ張ったときに、芯体４が、本体部筐体２１の筆圧検出部２２３との係合が解除されて引く抜くことができる場合には、リング状突部３３３は設ける必要はない。
【００３１】
そして、この実施形態では、本体部筐体２１のキャップ嵌合部２１１には、芯体４の替え芯４Ｅ（図６参照）を収納するための芯体保持部２１３が設けられている。図５（Ａ）は、本体部筐体２１を、軸心方向に、キャップ嵌合部２１１側から見た図であり、また、図５（Ｂ）は、そのＡ−Ｂ−Ｃ線断面図である。
【００３２】
図５（Ｂ）に示すように、キャップ嵌合部２１１には凹部２１１ａが形成されており、この凹部２１１ａ内に、この例ではスポンジからなる芯体保持部２１３が配設されている。そして、芯体保持部２１３には、替え芯４Ｅを収納するための凹穴からなる替え芯収納穴２１３ａが、軸心方向に形成されている。替え芯収納穴２１３ａの径は、芯体４及び替え芯４Ｅの径よりも若干小さい。芯体４及び替え芯４Ｅは、替え芯収納穴２１３ａに差し込まれることで、芯体保持部２１３に保持される。
【００３３】
この例では、替え芯収納穴２１３ａは、３個設けられているが、３個に限らず、１個でもよいし、２個あるいは４個以上でもよい。また、芯体保持部２１３は、この例ではスポンジにより構成したが、弾性ゴムや樹脂で構成してもよい。
【００３４】
この場合に、替え芯収納穴２１３ａの軸心方向の長さ（深さ）は、替え芯４Ｅの長さよりも短くされる。これにより、図６に示すように、替え芯４Ｅは、替え芯収納穴２１３ａに収納されたときに、その一部が外部に突出する状態となり、替え芯４Ｅを容易と取り出すことができる。なお、キャップ部３の凹部３１の軸心方向の長さ（深さ）は、替え芯４Ｅが替え芯収納穴２１３ａに収納されたときに、替え芯４Ｅの突出する部分も含めて、その凹部３１内に収容して覆うようにすることができる大きさに選定されている。
【００３５】
以上のように構成されているので、この実施形態の電子ペン１によれば、本体部筐体２１のキャップ嵌合部２１１に設けられている芯体保持部２１３の替え芯収納穴２１３ａに替え芯４Ｅを収納した状態で、キャップ部３を、その凹部３１内にキャップ嵌合部２１１を収納するようにして、本体部筐体２１と結合させて、図２（Ａ）に示すような使用状態の電子ペン１を構成できる。したがって、替え芯４Ｅは、電子ペン１の本体部筐体２１のキャップ嵌合部２１１に保持することができる。このため、芯体４を交換する際に、替え芯４Ｅを別途用意するなどの手間が不要となり、便利である。
【００３６】
芯体４を交換する場合には、キャップ部３を本体部筐体２１から取り外して、図７に示すように、芯体４の先端部４ａを、キャップ部３の芯抜き部３３の芯体係合穴３３２内に圧入挿入させて、芯抜き部３３に係合させる。この状態で、キャップ部３を、本体部筐体２１に対して、図７において矢印ＡＲの方向に離間させるように力を印加することで、芯体４を、本体部筐体２１から引き抜くことができる。
【００３７】
芯体４を本体部筐体２１から引き抜いた後、本体部筐体２１のキャップ嵌合部２１１の芯体保持部２１３から替え芯４Ｅの一本を引き抜いて、本体部筐体２１の開口２１ａから内部に差し込み、筆圧検出部２２３に端部を嵌合させる。以上で芯体の交換は完了である。
【００３８】
交換した芯体４は、キャップ部３の芯抜き部３３の芯体係合穴３３２から引き抜き、摩耗しているものであれば、廃棄するようにする。なお、替え芯４Ｅは、材料の硬さや先端の形状などにより、種々の書き味の芯体とすることもできる。その場合には、用途に応じて、書き味を変えるために、芯体を交換するようにするが、交換した芯体４は、新たに装着した替え芯４Ｅが収納されていた芯体保持部２１３の替え芯収納穴２１３ａに収納保持しておき、再度の交換に備えることができる。したがって、利用しようとする芯体４や替え芯４Ｅを紛失してしまうことなく、電子ペン１に保持しておくことができる。
【００３９】
そして、上述した電子ペン１によれば、キャップ部３に芯抜き部３３が設けられているので、芯抜き具を別途、必要とせず、また、芯体の交換作業時には、キャップ部３が外されて芯体保持部２１３に保持されている替え芯が表出されるので、必要な適宜のタイミングで芯体の交換をすることができる。
【００４０】
［他の実施形態または変形例］
上述の実施形態の電子ペン１では、芯抜き部３３は、芯体が嵌合されたときに、芯体を電子ペン１から抜き取ることができる程度の把持力で把持することが可能な芯体係合穴３３２で構成したが、芯抜き部の構成は、上記の例に限られるものではない。図８は、キャップ部３に設けられた他の例の芯抜き部３３Ａの構成例を示すもので、図８（Ａ）は、キャップ部３を、その頂部側から軸心方向に見た図、図８（Ｂ）は、キャップ部３の芯抜き部３３Ａの部分の縦断面図（図８（Ａ）のＤ−Ｄ断面図）である。
【００４１】
この例においては、キャップ部３は、図８（Ｂ）に示すように、中空部３ａを有する薄肉部材で構成されている。そして、図８（Ａ）及び（Ｂ）に示すように、キャップ部３の頂部の軸心方向に直交する方向の面の部分には、芯体４の径よりも大きい径の貫通孔３３４が、中空部３ａに連通するように設けられると共に、この貫通孔３３４の内壁面から貫通孔３３４の中心位置に向かって、軸心方向に直交する方向に放射状に突出する複数個の突出部、この例では４個の突出部３３５ａ，３３５ｂ，３３５ｃ，３３５ｄが、十字状に設けられる。
【００４２】
この場合に、４個の突出部３３５ａ，３３５ｂ，３３５ｃ，３３５ｄの内、貫通孔３３４の中心位置を通って互いに対向する突出部３３５ａと３３５ｃの先端の離間距離、また、突出部３３５ｂと３３５ｄの先端の離間距離は、図８（Ｂ）に示すように、芯体４の径とほぼ等しく、あるいは、若干小さく定められている。この例の芯抜き部３３Ａは、貫通孔３３４と、４個の突出部３３５ａ，３３５ｂ，３３５ｃ，３３５ｄとからなる。
【００４３】
この図８の例においては、芯体４を交換する場合には、芯体４の先端部４ａを、キャップ部３の芯抜き部３３Ａの４個の突出部３３５ａ，３３５ｂ，３３５ｃ，３３５ｄの先端の間に空間に差し込む。すると、芯抜き部３３Ａの４個の突出部３３５ａ，３３５ｂ，３３５ｃ，３３５ｄは、芯体４の先端部４ａと係合して当該先端部４ａを把持する状態となり、図７に示したのと同様にして、キャップ部３を、本体部筐体２１に対して離間させるようにすることにより、芯体４を、本体部筐体２１から引き抜きことができる。
【００４４】
以上の実施形態においては、芯抜き部３３、３３Ａは、キャップ部３の頂部の軸心方向に直交する方向の面に設けるようにしたが、この構成に限られるものではなく、キャップ部３の側周面（軸心方向に沿う面）に設けてもよい。また、例えば、図９に示すように、キャップ部にクリップを設けて、そのクリップ部分に芯抜き部を形成するようにしてもよい。
【００４５】
すなわち、図９の例の電子ペン１Ｂにおいては、そのキャップ部３Ｂには、クリップ３４が設けられる。そして、この例では、キャップ部３Ｂ自体には、芯抜き部は設けられず、クリップ３４に芯抜き部３５が形成される。この例の電子ペン１Ｂでは、キャップ部３Ｂ以外の構成は、上述した電子ペン１と同様であるので、その部分には、同一参照符号を付して、その説明は省略する。
【００４６】
図９（Ａ）は、この例の電子ペン１Ｂを、キャップ部３Ｂのクリップ３４の上方から見た図である。また、図９（Ｂ）は、この例の電子ペン１Ｂを、クリップ３４の側方から見た図である。さらに、図９（Ｃ）は、図９（Ａ）におけるＥ−Ｅ断面図であり、説明のために、クリップ３４の部分を拡大して示したものである。
【００４７】
この例のクリップ３４は、弾性を有する金属や合成樹脂からなるＬ字状の部材である。すなわち、クリップ３４は、軸心方向に沿ってキャップ部３Ｂの側周面に平行となる板状のクリップ本体部３４１と、クリップ本体部３４１をキャップ部３Ｂに対して取り付けるために、クリップ本体部３４１に対して直交する支持部３４２とを備える。この例では、支持部３４２は、キャップ部３Ｂの頂部の近傍の側周面位置に形成されている。支持部３４２は、キャップ部３Ｂに固定されるリング状部材３４３に一体に形成されている。
【００４８】
クリップ３４は、支持部３４２の位置を支点として、クリップ本体部３４１が常時キャップ部３Ｂの周側面に対して軸心方向に直交する方向に弾性的に偏倚するように構成されている。クリップ本体部３４１の支持部３４２とは反対側の端部には、クリップ本体部３４１がキャップ部３Ｂの側周面と常に所定の距離だけ離間するようにするための膨出部３４１ａが形成されている。
【００４９】
そして、この例においては、クリップ３４のクリップ本体部３４１の所定位置には、図９（Ｃ）に示すように、クリップ本体部３４１の板厚方向に貫通する貫通孔３５ａからなる芯抜き部３５が形成されている。この例では、図９（Ａ）に示すように、芯抜き部３５を構成する貫通孔３５ａは、三角形の形状とされている。この芯抜き部３５を構成する三角形の貫通孔３５ａの大きさは、芯体４が、当該三角形の貫通孔３５ａに圧入嵌合することができる大きさとされている。
【００５０】
電子ペン１Ｂの芯体４の交換時には、本体部筐体２１から取り外したキャップ部３Ｂを、そのクリップ３４のクリップ本体部３４１が、芯体４の軸心方向と直交する状態として、当該クリップ本体部３４１の芯抜き部３５の貫通孔内に、芯体４の先端部４ａを圧入させる。すると、芯体４の先端部４ａは、芯抜き部３５の貫通孔３５ａと係合して、芯抜き部３５に保持されるので、キャップ部３Ｂを本体部筐体２１から離間させるように移動させることで、芯体４を、本体部筐体２１から引き抜くことができる。
【００５１】
なお、クリップ本体部３４１の芯抜き部３５の貫通孔３５ａの形状は、三角形に限らず、要は、芯体４の先端部４ａと係合して、芯体４を本体部筐体２１から引き抜くことができる形状であればどのような形状であってもよく、例えば菱形や、その他の多角形でもよい。
【００５２】
上述の実施形態では、本体部筐体２１のキャップ嵌合部２１１に、キャップ部３を嵌合させることで本体部２とキャップ部３とを結合したが、本体部２とキャップ部３とは、螺合させるように構成してもよい。図１０は、本体部２とキャップ部３とを螺合させるように構成した電子ペン１Ｃを示す図である。
【００５３】
すなわち、図１０に示すように、この例の電子ペン１Ｃにおいては、キャップ嵌合部２１１Ｃには、リング状突部２１２に代えて、ねじ部２１４が設けられる。一方、キャップ部３の凹部３１には、リング状凹溝３２に代えて、ねじ部３６が形成される。
【００５４】
そして、この例の場合には、キャップ部３は、凹部３１により本体部筐体２１のキャップ嵌合部２１１の芯体保持部２１３を覆うように、本体部筐体２１のキャップ嵌合部２１１に被せられて回転されることで、キャップ部３のねじ部３６がキャップ嵌合部２１１のねじ部２１４に螺合されて本体部筐体２１と結合される。
【００５５】
［その他の変形例］
なお、上述の実施形態の電子ペンは、電磁誘導方式の場合であったが、この発明は、静電結合方式（アクティブ静電結合方式を含む）の電子ペンにも適用することができることは、言うまでもない。静電結合方式の電子ペンの場合には、芯体は金属や導電性を有する樹脂など構成される。そして、アクティブ静電結合方式の電子ペンの場合には、プリント基板に設けられる信号発生回路からの信号が、導電性の芯体から送出されて、静電結合によりタブレットとインタラクションする。
【００５６】
なお、芯体は筆圧検出部に直接嵌合される場合に限られるものではなく、筆圧検出部に嵌合されている圧力伝達部に嵌合されていてもよい。
【符号の説明】
【００５７】
１，１Ｂ，１Ｃ…電子ペン、２…本体部、３，３Ｂ…キャップ部、４…芯体、４Ｅ…替え芯、１０…タブレット、２１…本体部筐体、３１…凹部、３３，３３Ａ…芯抜き部、３４…クリップ、３５…芯抜き部、２１１…キャップ嵌合部
【図１】
2019128752.tif 000003
【図２】
2019128752.tif 000004
【図３】
2019128752.tif 000005
【図４】
2019128752.tif 000006
【図５】
2019128752.tif 000007
【図６】
2019128752.tif 000008
【図７】
2019128752.tif 000009
【図８】
2019128752.tif 000010
【図９】
2019128752.tif 000011
【図１０】
2019128752.tif 000012